(57)【要約】【課題】この発明では、センサ部の検出結果に応じて、前記電子装置本体が有線又は無線で管理している外部機器の電力消費状態を制御することで省電力化を得られるようにする。【解決手段】この発明では、電子装置本体100は、有線又は無線で管理している外部機器の接続部を有する。動作状態制御部107aは操作部120からの操作信号を受けて電子装置本体の動作状態を制御する。周囲の環境を感知するセンサ部108がユーザ存在の検出出力を得られないときは、省電力状態設定部107bは電子装置本体及び外部機器を省電力状態に移行させる。前記センサ部108がユーザ存在の検出出力を得たときは、前記電子装置本体及び前記外部機器の省電力状態を解除する。【選択図】図２
2010176307.tif 000002
【特許請求の範囲】
【請求項１】
電子装置本体と、
有線又は無線で管理している外部機器の接続部と、
周囲の特定の対象を検出するセンサ部と、
前記センサ部が前記対象の検出出力を得られないときは、制御信号により少なくとも前記電子装置本体を省電力状態に移行させ、
前記センサ部から前記対象の検出出力を得たとき、前記制御信号により前記電子装置本体を省電力状態から解除し、かつ前記外部機器を省電力状態に移行させていた場合該外部機器の省電力状態を解除する制御部を有することを特徴とする電子装置。
【請求項２】
前記制御部は、前記センサ部が前記対象の検出出力を得られないときは、制御信号により前記電子装置本体及び前記外部機器を省電力状態に移行させる省電力状態設定部と、
前記センサ部が前記検出出力を得たとき、前記制御信号により前記電子装置本体及び前記外部機器の省電力状態を解除する省電力状態解除部と、
を有することを特徴とする電子装置。
【請求項３】
前記外部機器はディスクドライブを有した再生装置であり、前記制御信号は前記再生装置を一時停止状態若しくは停止状態若しくは電源オフ状態に制御し前記省電力状態とすることを特徴とする請求項１記載の電子装置。
【請求項４】
前記再生装置は、前記電子装置本体とHDMI装置を介して接続されていることを特徴とする請求項３記載の電子装置。
【請求項５】
前記外部機器は前記電子装置本体とネットワークを介して接続されていることを特徴とする請求項１記載の電子装置。
【請求項６】
前記外部機器の省電力状態を解除するのに先立って、通常動作モードに移行する旨のメッセージの表示又は音声出力を行うことを特徴とする請求項１記載の電子装置。
【請求項７】
前記通常動作モードに移行する旨のメッセージ表示又は音声出力がなされた場合、決定操作が入力されて始めて省電力状態の解除が実行されることを特徴とする請求項６記載の電子装置。
【請求項８】
電子装置本体と、有線又は無線で管理している外部機器の接続部と、周囲の特定の対象を検出するセンサ部を有した電子装置の制御方法において、
前記センサ部が前記対象の検出出力を得られないときは、制御信号により少なくとも前記電子装置本体を省電力状態に移行させ、
前記センサ部が前記検出出力を得たとき、前記制御信号により前記電子装置本体の省電力状態を解除し、前記外部機器を省電力状態に移行させていた場合該外部機器の省電力状態を解除することを特徴とする電子装置電子装置の制御方法。
【請求項９】
省電力状態に移行させるとき、前記制御信号は前記外部機器を一時停止状態若しくは停止状態若しくは電源オフ状態に制御することを特徴とする請求項８記載の電子装置の制御方法。
【請求項１０】
前記外部機器の省電力状態を解除するのに先立って、通常動作モードに移行する旨のメッセージの表示又は音声出力を行うことを特徴とする請求項８記載の電子装置の制御方法。
【請求項１１】
前記通常動作モードに移行する旨のメッセージ表示又は音声出力がなされた場合、決定操作が入力されて始めて省電力状態の解除が実行されることを特徴とする請求項１０記載の電子装置の制御方法。
【請求項１２】
電子装置本体と、有線又は無線で管理している外部機器の接続部と、操作部からの操作信号を受けて、前記電子装置本体の動作状態を制御する動作状態制御部と、周囲の特定の対象を検出するセンサ部を有した電子装置の制御部における制御用プログラムであって、
前記センサ部が前記対象の検出出力を得られないときは、制御信号により少なくとも前記電子装置本体を省電力状態に移行させ、
前記センサ部が前記検出出力を得たとき、前記制御信号により前記電子装置本体の省電力状態を解除し、前記外部機器を省電力状態に移行させていた場合、前記外部機器の省電力状態を解除することを特徴と電子装置の制御用プログラム。
【請求項１３】
ディスクドライブ部と、再生処理部と、制御部及び電源部を有した再生装置において、
映像表示装置から省電力状態移行へのモード制御信号を受けたとき、一時停止若しくは停止状態の省電力状態に移行する動作状態制御部を有したことを特徴とする再生装置。
【請求項１４】
前記動作状態制御部は、省電力状態に移行するよりも予約番組録画制御を優先させることを特徴とする請求項１３記載の再生装置。
【発明の詳細な説明】
【技術分野】
【０００１】
本発明は電子装置及び電子装置の制御方法と制御プログラムに関し、特に省電力に寄与する発明である。
【背景技術】
【０００２】
電力を使用する電子装置にあっては省電力対策が施されている。映像表示装置と磁気記録再生装置においても省電力化に適応する技術が公知である（たとえば特許文献１、特許文献２）。
【０００３】
特許文献１では、リモートコントローラが人体センサを備えている。人体センサにより、人体が検出されると、磁気記録再生装置がオンされ、一定時間人体が検出されないときは、磁気記録再生装置はオフされる。
【０００４】
特許文献２では、音声或いは映像等の再生を行うAV電気機器において、赤外線センサと、該センサの出力が変化する毎に同一信号を出力する手段を設け、この手段の出力を一時停止制御回路に与えるようにしている。
【先行技術文献】
【特許文献】
【０００５】
【特許文献１】実開平５−２５８８３号公報
【特許文献２】特公平７−２７６６５号公報
【発明の概要】
【発明が解決しようとする課題】
【０００６】
この発明の目的は、装置本体に対してユーザ検出を行うセンサ部を設け、前記センサ部の検出結果に応じて、前記装置本体が有線又は無線で管理している関係にある外部機器の電源状態を制御することで省電力化を得られるようにした電子装置及び電子装置の制御方法と制御プログラムを提供することにある。
【課題を解決するための手段】
【０００７】
この発明の一面では、電子装置本体と、有線又は無線で管理している外部機器の接続部と、操作部からの操作信号を受けて、前記電子装置本体の動作状態を制御する動作状態制御部と、周囲の特定の対象を検出するセンサ部と、前記センサ部からの前記対象の検出出力の有り無しに応じて前記電子装置本体を省電力の解除状態と省電力状態に変化させと共に、前記対象の検出出力が有り、前記電子装置本体を省電力状態に移行させておりかつ前記外部機器を省電力状態に移行させていた場合、前記外部機器の省電力状態を解除させる制御部を有する。
【発明の効果】
【０００８】
本発明は電子装置本体のみならず、関連している外部機器に対しても省電力化のための制御を行うことができ省電力効果を高めることができる。
【図面の簡単な説明】
【０００９】
【図１】本発明の一実施の形態を示す図であり、（A)はユーザがセンサ部１０８の検出領域内に居る場合、（B)はユーザがセンサ部１０８の検出領域外に居る場合の例を示す図である。
【図２】図１の映像表示装置１００の内部構成例を示す図である。
【図３】図１の再生装置３００の内部構成例を示す図である。
【図４】本発明の装置の動作例を示すフローチャートである。
【図５】HDMI装置を介して外部機器が接続されているときの本発明の装置の動作例を示すフローチャートである。
【図６】本発明の装置に対してHDMI装置を介して接続されている外部機器の動作例を示すフローチャートである。
【図７】本発明の装置が用いる制御コマンドの例を示す説明図である。
【図８】本発明の装置の他の実施例を説明する図である。
【図９】本発明に係わる映像表示装置において省電力状態を設定する機器の一覧を示す説明図である。
【発明を実施するための形態】
【００１０】
以下、本発明の実施の形態について、詳細に説明する。まず図１に本発明が適用された電子装置が映像表示装置の場合の概念図を示す。
【００１１】
映像表示装置１００はユーザ２００の存否を検知するセンサ部１０８を備えている。図１（A)に示すように、ユーザ２００が、センサ部１０８の検出領域A１内に居るときは、自動動作モードにある映像表示装置１００は、省電力状態を解除し、通常動作モードで動作する。しかし図１（B)に示すように、ユーザ２００が、センサ部１０８の検出領域A１の外に移動し、一定時間（たとえば２乃至５分）が経過すると映像表示装置１００は、省電力状態に移行する。
【００１２】
省電力状態に移行した映像表示装置１００は、映像出力及び音声出力の停止状態となる。このために、映像表示装置１００の表示部は暗状態となり、また音声も無音状態となる。映像出力停止状態になると液晶パネルの場合バックライトのオフが行われる。
【００１３】
またこのとき、映像表示装置１００は、外部機器として接続されている再生装置３００を制御する。再生装置３００が再生動作状態にあるときは再生装置３００を一時停止又は停止、又は電源オフ状態にする。逆に、ユーザ２００が戻ってきて、図１（A)の状態なると、センサ部１０８は所定の検出出力を得ることができる。このときは、映像表示装置１００が制御部（後述する）によりオン状態になり、また、再生装置３００はユーザの不在によって、一時停止又は停止又は電源オフ状態にされていた場合は、再生制御される。
【００１４】
上記の説明では映像表示装置は、省電力状態では表示部への出力が停止されるとした。しかしこれに限らない。映像表示装置は、省電力状態では表示部への出力が停止されるが、音声出力部の出力は維持されてもよい。また映像表示装置は、省電力状態では表示部への出力が停止され、音声出力部の出力も停止さてもよい。
【００１５】
図２は、上記映像表示装置の構成例を示している。映像表示装置には、放送波を受信するチューナー部１０１、映像を処理する映像処理部１０２、音声を処理する音声処理部１０３を有する。映像処理部１０２の出力は、映像を表示する映像表示部１０４に供給され、音声処理部１０３の出力は、音声を出力する音声出力部１０５に供給される。
【００１６】
リモートコントローラ（以下リモコンと略称）受信部１０６は、モコン１２０からの操作信号を受信する。操作信号は、装置を統括的に制御するシステム制御部１０７にて解釈される。システム制御部１０７は、操作信号の解釈に応じて装置の動作状態を制御するための動作制御部１０７aを含む。
【００１７】
さらに、システム制御部１０７には、ユーザの存否を検出するセンサ部（代用としてカメラであってもよい）１０８からの検出信号が入力される。
【００１８】
センサ部１０８は、焦電型赤外センサ、超音波センサ、又は送受信型の赤外線ＬＥＤセンサ、パッシブ赤外線感知器等の各種センサを使用、又はこれらを組み合わせて使用してもよい。又はセンサの代用として、カメラの撮像によるユーザ存否の検出（撮像領域内の人体、顔検出等）であってもよい。
【００１９】
この装置においては、センサ部１０８は、上記したように周囲の環境を感知する。ここで、制御部１０７は、省電力状態設定部１０７bと、省電力状態解除部１０７cを有する。省電力状態設定部１０７bは、有線又は無線で管理している関係にある外部機器（たとえば再生装置３００）と、この映像表示装置１００本体に対して、センサ部１０８が所定の検出出力（ユーザ検出出力）を得られないとき省電力状態に移行させるモード制御信号を発行する。また省電力状態解除部１０７ｃは、センサ部１０８が前記所定の検出出力（ユーザ検出出力）を得たとき前記モード制御信号を通じて前記外部機器の省電力状態を解除する。また映像表示装置１００の省電力状態も解除する。映像表示装置１００は、有線又は無線で管理している外部機器の接続部１３１，１３２を有する。
【００２０】
この例では、再生装置３００は、たとえば接続部としてHDMI（High-Definition Multimedia Interface）１３１を介して、映像表示装置１００に接続される。HDMI１３１でなく、接続部としてネットワークインターフェース１３２を介して接続されていてもよい。
【００２１】
図３は、再生装置３００の構成例を示している。再生装置３００は、たとえばハードディスク装置、DVD再生装置、DVD記録再生装置などが可能である。再生装置３００は、制御部３０２、再生処理部３０３、ディスクドライブ部３０４、電源部３１１、HDMI３０１を有する。ディスクドライブ部３０４は、ディスクモータ３０５を含む。HDMI３０１は、映像表示装置１００側のHDMI１３１と接続される。
【００２２】
また再生装置３００は、動作状態制御部３０２aを有する。動作状態制御部３０２aは、リモコン或いは制御信号を解析して再生装置３００の動作状態を統括している。また予約番組録画制御部３０２ｂ、電源制御部３０２ｃを有する。
【００２３】
上記のように再生装置３００は、省電力状態へ移行することができ、また省電力状態を解除し再生状態へ移行することができる。しかし、省電力状態にあっても、予約番組録画制御部３０２ｂは、省電力状態に対して優先的に動作するように設定されている。
【００２４】
図４には、上記した映像表示装置１００の動作フローの例を示す。センサ部１０８からのユーザ検出の有無の処理は随時又は定期的に行われる。今、センサ部１０８によって、ユーザの不在が検出され、一定時間が経過したものとする。すると、映像表示装置１００は省電力状態設定部１０７ｂから、停止或いは一時停止コマンドを発効する（ステップS1）。これにより映像表示装置１００は省電力状態に移行するとともに、再生装置３００も停止状態或いは一時停止状態に移行し、省電力状態となる。再生装置３００は一時停止状態に移行した場合、レジューム情報を生成して保持する。
【００２５】
この状態にあってもセンサ部１０８からのユーザ検出の有無の処理は随時又は定期的に行われる。今、センサ部１０８によって、ユーザ２００の存在が検出されたとるすと（ステップS2）、映像表示装置１００は省電力状態解除部１０７ｃから再生コマンドを発効する。これにより再生装置３００は、再生動作状態となる。
【００２６】
なおここで、元の動作状態に移行する前に、「省電力状態の映像表示表示装置及び再生装置の停止等を解除し、通常動作モードに移ります」というようなメッセージ表示又は音声出力した後に、ユーザによる「決定ボタン」操作、または「戻るボタン」操作を確認した上で、通常動作に移行又は、省電力動作を継続するようにしてもよい。このメッセージは動作状態制御部１０７aの制御に基づいて行われる。この機能は、ユーザが一時的に検出領域を通過するとき、或いはペットなどが検出領域に侵入した際に有効であり、ユーザの現在の意思を動作に反映することができる。
【００２７】
図５は映像表示装置１０の動作例を示すフローチャートの他の例である。また、図６はＤＶＤプレーヤ等の再生装置３００の処理を示すフローチャートである。
【００２８】
映像表示装置１００は、ユーザ２００が検出領域内に存在するか否かを監視する。今、ユーザ２００の存在又は不在のいずれか一方の状態を検出したとする。このとき、映像表示装置１００は、再生装置３００に対して、再生装置３００の再生状態を示す状態情報の送信を要求するコマンド（再生状態通知要求）を送信する（ステップSA1）。状態通知を要求するコマンドは、ＨＤＭＩのＣＥＣ（Consumer Electronics Control）コマンドに規定されているたとえばDeck Controlを用いることで実現できる。例えば、図７に示すように、以下の様なコマンドを予め設定しておく。
【００２９】
状態情報の送信を要求するコマンド
Initiator ：TV（映像表示装置１００）
Destination ：現在アクティブなソース（映像再生装置３００）
Opcode ：<Give Deck Status>
映像表示装置１００は、再生装置３００から再生装置３００の再生状態を示す状態情報を受信してメモリ部等に保持（記憶）する（ステップSA2）。映像表示装置１００は、受信した状態情報に基づいて、再生装置３００の状態及びユーザ検出状態の判別を行う（ステップSA3）。
【００３０】
ステップSA3で、「ユーザが検出されており、且つＨＤＭＩ接続されている再生装置３００が停止中」と判別された場合は、映像表示装置１００は、再生装置３００に対して「レジューム再生開始又は電源オンコマンドを発効」して送信する（ステップSA4）。一方、ステップSA3で、「ユーザが非検出であり、且つＨＤＭＩ接続されている再生装置３００が再生中」と判別された場合は、映像表示装置１００は、再生装置１４に対して「停止又は一時停止コマンドを発効」して送信する（ステップSA5）。停止または一時停止のコマンド、および再生開始のコマンドなどは、ＨＤＭＩのＣＥＣ（Consumer Electronics Control）コマンドに規定されているDeck Controlを用いることで実現できる。規定のコマンドが存在しない場合は、Vendor Specific Commandを使用して、実現することも可能である。
【００３１】
例えば、
停止コマンド
Initiator ：TV（映像表示装置１００）
Destination ：現在アクティブなソース（映像再生装置３００）
Opcode ：<Deck Control>
Parameter : stop
再生開始のコマンド
Initiator ：TV（映像表示装置１００）
Destination ：現在アクティブなソース（映像再生装置３００）
Opcode ：<Play>
一時停止のコマンド
Initiator ：TV（映像表示装置１００）
Destination ：現在アクティブなソース（映像再生装置３００）
Opcode ：<Vendor Command>
Parameter : pause
図６を参照して再生装置３００の動作例を説明する。映像表示装置１００から再生状態通知を要求するコマンドを受信したとする（ステップSB1）。再生装置３００は、要求コマンドに応答して、再生状態を示す状態情報を送信する（ステップSB2）。映像表示装置１００は、再生装置３００からの状態情報に応答して、「停止または一時停止のコマンド」や「再生開始のコマンド」を再生装置３００に送信する。再生装置３００は、これらのコマンドを受信し（ステップSB3）、受信したコマンドを判別する（SB4）。ステップSB4で、再生装置３００の制御部３０２によって受信したコマンドを解析する。受信したコマンドが、「再生開始のコマンド」であると判別された場合は、再生装置３００は光ディスク等のコンテンツの再生を開始する（ステップSB6）。一方、受信したコマンドが、「停止または一時停止のコマンド」であると判別された場合は、再生装置３００は光ディスク等のコンテンツの再生を停止／一時停止する（ステップSB5）。
【００３２】
再生装置３００は、動作状態制御部３０２aにより、再生装置３００の一時停止又は停止状態を得る。一時停止及び停止状態では、電源部３１１を制御し、メイン電源をオフすることができる。このときはディスクモータ３０５がオフし、省電力化が効果的となる。一時停止又は停止状態の設定では、まず一定時間は、再生処理部３０３の出力回路の電源をオフし、ディスクモータ３０５の動作を継続させてもよい。そして、一定時間が経過したらディスクモータ３０５もオフするというような制御を行ってもよい。
【００３３】
上記の実施の形態では、省電力を行うときに、映像表示装置１００及び再生装置３００が対象となった例を示した。また映像表示装置１００と再生装置３００は、HDMIで接続されているものと説明した。しかしこれに限らず、映像表示装置１００と周辺装置がネットワーク４０１或いは無線で接続されている環境においても省電力を図ることができる。
【００３４】
図９にはこの発明の他の実施形態を示している。映像表示装置１００は、家庭内ネットワーク４０１を介して、同じ部屋の再生装置３００、３００に接続されている。また室内機器をリモートコントロールする集中コントローラ４０２にも接続されている。集中コントローラ４０２は、たとえばエアーコンディショナー４０３、電子カーペット４０４、照明器４０５などをオンオフ制御することができる。
【００３５】
先に説明したように、センサ部１０８がユーザの不在を検出すると、映像表示装置１００は、省電力状態に移行する。このとき、ネットワーク４０１に接続されている同室の再生３００，３００も省電力状態に移行する。合わせて、集中コントローラ４０２は映像表示装置１００からの制御信号を受けて、エアーコンディショナー４０３、電子カーペット４０４を省電力状態に移行させる。集中コントローラ４０２はエアーコンディショナー４０３を無線により遠隔操作することができる。
【００３６】
エアーコンディショナー４０３の省電力状態制御は、たとえば送風を一定時間弱くし、さらに長時間（たとえば２０分）が経過すると電源をオフするような制御である。また電子カーペット４０４の省電力状態制御は、冬の場合、たとえば温度を一定時間低く制御し、さらに長時間（たとえば２０分）が経過すると電源をオフするような制御である。
【００３７】
また、照明器４０５の制御パターンとしては以下のような制御パターンが可能である。映像表示装置１００がオンしているときは（ユーザが検出されている状態）では、照明強度が低下（省電力状態）に制御され、映像表示装置１００がオフ（ユーザが非検出の状態）では照明強度が上げられるパターンである。そして、映像表示装置１００のオフ時間が長く続くと（たとえば３０分）照明器４０５がオフされる。
【００３８】
図９は、図８に示したように制御対象となる制御機器が多数となった場合、映像表示装置１００の表示部に、電力管理状態を判りやすく表示した例である。たとえば映像表示装置１００のメニュー機能により、表示部に電力管理状況テーブルを表示させることができる。このテーブルには、登録機器名（基本的には、ネットワークや無線により関連付けされた機器名）が表示される。そして各機器名の横に省電力管理が設定されているか否かの表示が行われる。さらに、映像表示装置１００がユーザの非検出状態になってから、何分後に省電力状態に移行するかを設定することができる。図の例であると、再生装置１には省電力状態が設定されており、ユーザ非検出状態が５分つづいたら、省電力状態に移行するように設定されている。
【００３９】
また、本発明は、上述した実施形態そのままに限定されるものではない。本発明は、実施段階では、その要旨を逸脱しない範囲で構成要素を変更して具現化できる。
【００４０】
さらに、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【産業上の利用可能性】
【００４１】
上記したようにこの発明は省電力を必要とする映像表示装置、その周辺機器に対して適用可能である。
【符号の説明】
【００４２】
１００・・・映像表示装置、２００・・・ユーザ、１０１・・・チューナー部、１０２・・・映像処理部、１０３・・・音声処理部、１０４・・・表示部、１０５・・・音声出力部、１０６・・・リモコン受信部、１０７・・・システム制御部、１０７a・・・動作状態制御部、１０７b・・・省電力状態設定部、１０７ｃ・・・第１の省電力状態解除部、１０７ｄ・・・関連機器の電力管理部、１０８・・・センサ部、１２０・・・リモコン、１３１・・・HDMI。
【図１】
2010176307.tif 000003
【図２】
2010176307.tif 000004
【図３】
2010176307.tif 000005
【図４】
2010176307.tif 000006
【図５】
2010176307.tif 000007
【図６】
2010176307.tif 000008
【図７】
2010176307.tif 000009
【図８】
2010176307.tif 000010
【図９】
2010176307.tif 000011
【手続補正書】
【提出日】平成22年3月19日(2010.3.19)
【手続補正１】
【補正対象書類名】明細書
【補正対象項目名】０００７
【補正方法】変更
【補正の内容】
【０００７】
この発明の一面では、電子装置本体と、有線又は無線で管理している再生装置の接続部と、周囲の特定の対象を検出するセンサ部と、前記センサ部が前記特定の対象の検出出力を得られないときは、制御信号により少なくとも前記電子装置本体を映像及び又は音声の出力停止状態に移行させ、かつ前記再生装置を一時停止又は停止状態に移行させ、前記センサ部から前記特定の対象の検出出力を得たとき、前記制御信号により前記電子装置本体の前記出力停止状態を解除し、かつ前記再生装置を一時停止又は停止状態に移行させていた場合該再生装置を再生状態にする制御部を有する。
【手続補正２】
【補正対象書類名】特許請求の範囲
【補正対象項目名】全文
【補正方法】変更
【補正の内容】
【特許請求の範囲】
【請求項１】
電子装置本体と、
有線又は無線で管理している再生装置の接続部と、
周囲の特定の対象を検出するセンサ部と、
前記センサ部が前記特定の対象の検出出力を得られないときは、制御信号により少なくとも前記電子装置本体を映像及び又は音声の出力停止状態に移行させ、かつ前記再生装置を一時停止又は停止状態に移行させ、前記センサ部から前記特定の対象の検出出力を得たとき、前記制御信号により前記電子装置本体の前記出力停止状態を解除し、かつ前記再生装置を前記一時停止又は停止状態に移行させていた場合該再生装置を再生状態にする制御部を有することを特徴とする電子装置。
【請求項２】
前記再生装置の停止状態を解除するのに先立って、通常動作モードに移行する旨のメッセージの表示又は音声出力を行うことを特徴とする請求項１記載の電子装置。
【請求項３】
前記通常動作モードに移行する旨のメッセージ表示又は音声出力がなされた場合、決定操作が入力されて始めて前記停止状態の解除が実行されることを特徴とする請求項２記載の電子装置。
【請求項４】
前記再生装置は、前記電子装置本体とHDMI装置を介して接続されていることを特徴とする請求項３記載の電子装置。
【請求項５】
前記外部機器は前記電子装置本体とネットワークを介して接続されていることを特徴とする請求項３記載の電子装置。
【請求項６】
電子装置本体と、有線又は無線で管理している再生装置の接続部と、周囲の特定の対象を検出するセンサ部を有した電子装置の制御方法において、
前記センサ部が前記特定の対象の検出出力を得られないときは、制御信号により少なくとも前記電子装置本体を映像及び又は音声の出力停止状態に移行させ、かつ前記再生装置を一時停止又は停止状態に移行させ、
前記センサ部が前記特定の対象の検出出力を得たとき、前記制御信号により前記電子装置本体の前記出力停止状態を解除し、かつ前記再生装置を一時停止又は停止状態に移行させていた場合該再生装置を再生状態にすることを特徴とする電子装置電子装置の制御方法。
【請求項７】
前記再生装置の一時停止又は停止状態を解除するのに先立って、通常動作モードに移行する旨のメッセージの表示又は音声出力を行うことを特徴とする請求項６記載の電子装置の制御方法。
【請求項８】
前記通常動作モードに移行する旨のメッセージ表示又は音声出力がなされた場合、決定操作が入力されて始めて前記一時停止又は停止状態の解除が実行されることを特徴とする請求項７記載の電子装置の制御方法。
【請求項９】
電子装置本体と、有線又は無線で管理している再生装置の接続部と、操作部からの操作信号を受けて、前記電子装置本体の動作状態を制御する動作状態制御部と、周囲の特定の対象を検出するセンサ部を有した電子装置の制御部における制御用プログラムであって、
前記センサ部が前記特定の対象の検出出力を得られないときは、制御信号により少なくとも前記電子装置本体を映像及び又は音声の出力停止状態に移行させ、かつ前記再生装置を一時停止又は停止状態に移行させ、
前記センサ部が前記特定の検出出力を得たとき、前記制御信号により前記電子装置本体の前記出力停止状態を解除し、かつ前記再生装置を一時停止又は停止状態に移行させていた場合、前記再生装置を再生状態にすることを特徴とする電子装置の制御用プログラム。